(57)【要約】  【課題】生分解性プラスチックを用いて、高級感を出すように仕上げた手提げ袋と同じ色又は好みの色に着色した薄型紐片からなり、手当りがソフトで持ち運びしやすい手提げ袋の提げ手を提供する。  【解決手段】発泡剤と着色剤を生分解性プラスチックに混合して可撓性を有する薄型紐片（１７）を手提げ袋の袋体（１０）の上部に設けた上部開口の両側に取付け、該薄型紐片（１７）の表面に設けた平坦表面（１８、１８ａ）の全体に多数の皺部（１９）や極小の穴（１９ａ）を連続して形成してある。前記生分解性プラスチックがビオノーレであり、記薄型紐片（１７）は、手提げ袋の外面の色に合わせて任意の色に着色してある。  【選択図】図４
0003109290.tif 000002
【実用新案登録請求の範囲】
【請求項１】
手提げ袋（９）の開口上部（２）を所定幅内側に折り曲げて折返片（１１）を設け、発泡剤と着色剤を生分解性プラスチックに混合させて可撓性を有する薄型紐片（１７）の基部（１７ａ、１７ａ）を、表裏面が同じになるように捻りを入れて前記開口上部（２）の両側にそれぞれ取り付けてなり、該薄型紐片の表面（１８、１８ａ）の全体に多数の皺部（１９）を設けてなることを特徴とする手提げ袋の提げ手。
【請求項２】
前記薄型紐片（１７）の表面（１８、１８ａ）の全体に、極小の穴（１９ａ）を一定又は任意間隔に多数設けてなることを特徴とする請求項1記載の手提げ袋の提げ手。
【請求項３】
前記薄型紐片（１７）は、澱粉を利用したコハク酸などの生分解性プラスチックであることを特徴とする請求項1または２記載の手提げ袋の提げ手。
【請求項４】
前記生分解性プラスチックが、ビオノーレ（登録商標）であることを特徴とする請求項1記載の手提げ袋の提げ手。
【請求項５】
前記薄型紐片（１７）は、手提げ袋（９）の外面または好みの色をした着色剤を前記生分解性プラスチックに混入して任意の色に着色してなることを特徴とする請求項1記載の手提げ袋の提げ手。
【請求項６】
発泡剤と着色剤をビオノーレ（登録商標）に混合させて可撓性を有する薄型紐片（１７）の基部（１７ａ、１７ａ）を表裏面が同じになるように捻りを入れて前記開口上部（２）の両側に取り付けてなり、該薄型紐片の表面（１８、１８ａ）の全体に多数の皺部（１９）および極小の穴（１９ａ）を一定又は任意間隔に形成し、該薄型紐片の基部（１７ａ、１７ａ）を前記開口上部（２）の両側に設けた通孔から挿入して、二つ折り又は２枚の厚紙（１３、１３ａ）の間に接着剤を用いて圧着固定した口元補強板（１４）を、手提げ袋（９）の開口上部（２）を所定幅内側に折り曲げて形成した折返片（１１）の内部に接着固定してなることを特徴とする手提げ袋の提げ手。
【考案の詳細な説明】
【技術分野】
【０００１】
本考案は、手提げ袋の提げ手に係り、特に、二酸化炭素などの温室効果ガスの排出量を削減し、自然環境に優しい生分解性プラスチックを用いて高級感を有した手提げ袋の提げ手に関するものである。
【背景技術】
【０００２】
従来、紙製の手提げ袋に用いられている提げ手には、主として合成樹脂材または紙材により形成されたものが使用されている。この合成樹脂製の提げ手は、強度を有するという利点を有する反面、手提げ袋が破損するとゴミとなって捨てられ、その処理のために通常は焼却処理されている。しかし、低温でプラスチックなどを焼却すると人体及び環境に対して有害物質、例えばダイオキシンなどが発生してしまい、さらに、二酸化炭素を発生して地球温暖化を促進させるという欠点を有している。また、合成樹脂製の手提げ袋や提げ手が破損してゴミとなった場合には、ゴミ処理の一方法として土中に埋設しても長期間殆ど変質しないため埋立地盤がなかなか安定化せず、埋立処分には適さないという問題点を有していた。
【０００３】
また、紙製の提げ手は、細長い紙材をそのまま使用しても強度が弱いため、例えば捻ってロープ状に加工して強度を高め、図１０に符号５で示すように断面が略円形をした提げ手を使用するものが多い。断面が略円形の場合には、直径の長さ、即ち紙紐の肉厚は手提げ袋の袋部材より厚くなってしまうという欠点がある。そのため、薄い部材で形成してある手提げ袋１の開口上部２の両側部に前記提げ手5の基部を取付ける場合には、厚紙などからなる補強板４を手提げ袋の開口上部の内側に位置させて取付けてあるため、手提げ袋の開口上部の内側に外面に目立った突出部は生じない。
【０００４】
しかし、図１１に示すように、開口上部２の両側部には、手提げ袋１の薄い素材を内側に折り返して前記提げ手５の外側から接着させてあるため、上下方向の目立った凸状模様６、６を生じて皺を発生させてしまい、高級感を出すように仕上げた手提げ袋１の開口上部２の内面側に皺部分が生じて美観を損ねてしまうという問題点を有していた。
【０００５】
また、図１２に示すように、細長い紙を捻ってロープ状に形成した細い紙紐７、７を複数本平行に並べて接着させて断面が略長方形をして薄型に形成したテープ状の紙紐５ａを提げ手として使用する場合には、手提げ袋１の開口上部２の内外表面に目立った凸状模様６、６はほとんど生じない。しかし、手提げ袋１を高級感が出るような色に着色して仕上げてあると、ロープ状に捻って形成した紙紐５ａを紙製の手提げ袋1の外面の色に合わせて着色しても、該紙紐が着色剤を吸収してしまって色が目立たず、手提げ袋の外面と提げ手の色とが調和しないという欠点を有していた。
【特許文献１】実開昭４８−２４８１３号公報
【特許文献２】実開昭５５−２６３７６号公報
【考案の開示】
【考案が解決しようとする課題】
【０００６】
従来、合成樹脂製の提げ手は強度を有するという利点を有する反面、ゴミ処理のために焼却する際に、比較的低温で焼却すると人体にとって有害なガスを発生して大気汚染の原因となり、さらに、高温で焼却したとしても二酸化炭素の発生により地球温暖化を促進させてしまう欠点があった。また、ゴミ処理の為に土中に埋設してもプラスチック製品は殆ど変質しないため、地盤が安定化せず埋立処分には適さなかった。他方、紙材を例えばロープ状に捻るとその強度を高めることができ紐片として使用することができるが、その形は円形をしていて直径の長さ、即ち紙紐の肉厚は手提げ袋の素材の厚さより一段と厚くなってしまい、袋体の開口上部の内面に該提げ手の基部を取付けると、該提げ手の部分が外方に突出して違和感が生じてしまうという欠点を有していた。
【０００７】
複数本の細い紙紐7、7を平行に揃えて接着させて断面を略長方形に形成した薄型のテープ状の紙紐５ａを手提げ紐として使用すると、該紙紐は薄型となるから手提げ袋1の開口上部２の表面に目立った凸状模様６、６は生じない。しかし、手提げ袋に高級感を出すような色に着色して仕上げてある場合、該テープ状の紙紐５ａを紙製の手提げ袋1の外面の色にあわせて着色しても該着色剤が髪に吸収されてしまうため高級感を出すような色に着色することが困難であった。また、雨等の水に濡れたり、手や化粧品の油やドライクリーニングしたばかりの製品に擦れたりすると色落ちしてしまい、洋服などを汚してしまうという問題点を有していた。
【０００８】
本考案は上記した従来の問題点に鑑みてなされたもので、特殊な生分解プラスチックを用いて、コストを上昇させないで外面を任意で高級感を出すように手提げ袋と同じ色または好みの色に着色し、手提げ袋に取り付けやすくするため薄型に形成すると共に、手当たりをソフトにして持ち運びしやすい提げ手を提供するものである。
【課題を解決するための手段】
【０００９】
前記課題を解決するため、本考案は手提げ袋９の開口上部２を所定幅内側に折り曲げて折返片１１を設け、発泡剤と着色剤を生分解性プラスチックに混合させて可撓性を有する薄型紐片１７の基部１７ａ、１７ａを、表裏面が同じになるように捻りを入れて前記開口上部２の両側に取り付けてなり、該薄型紐片の表面１８、１８ａの全体に多数の皺部１９を設けてなることを特徴とする。
【００１０】
前記薄型紐材１７の表面１８、１８ａの全体に、多数の極小の穴１９ａを一定又は任意間隔に設けてもよい。さらに、前記生分解性プラスチックは、澱粉を利用したコハク酸などでもよいし、さらには、ビオノーレ（登録商標）を用いることが好ましい。また、前記薄型紐片１７は、手提げ袋9の外面の色または好みの色をした着色剤を前記生分解性プラスチックに混入して任意の色に着色してなるものである。
【００１１】
さらにまた、発泡剤と着色剤をビオノーレ（登録商標）に混合させて可撓性を有する薄型紐片１７の基部１７ａ、１７ａを表裏面が同じになるように捻りを入れて前記開口上部２の両側に取り付けてなり、該薄型紐片の表面１８、１８ａの全体に多数の皺部１９及び極小の穴１９ａを一定又は任意間隔に形成し、該薄型紐片の基部１７ａ、１７ａを前記開口上部の両側に設けた通孔から挿入して、二つに折りまたは２枚の厚紙１３、１３ａの間に接着剤を用いて圧着固定した口元補強板１４を、手提げ袋９の開口上部を所定幅内側に折り曲げた折返片１１の内部に接着固定してなるものである。
【００１２】
上記のような提げ手１７を形成したため、自然界の土壌中に存する分解菌によって最終的に水と二酸化炭素に分解され、さらに植物に吸収されるという自然環境にやさしい素材である生分解性プラスチックで形成してある。また、生分解性プラスチックは焼却しても地球環境にとって有害ガスとなる化学成分は大気中に排出されず，紙などと同じか若しくはそれ以下の熱量で焼却することができる。さらに、土中に埋設処理しても比較的短期間に前記したように水と二酸化炭素ガスに分解され、植物に吸収されて地盤が安定化できる。その上、着色剤を少量混入するだけで手提げ袋の色に合わせた色又は好みに合った任意の色に着色でき、しかも素材がプラスチックであるから雨に濡れても色落ちせず、洋服などを汚さずに手提げ袋を持ち運ぶことができる。
【００１３】
薄型紐片１７の表面１８、１８ａの全体に多数の筋がたるんだり縮んだりしてできた不規則な細かい筋などからなる皺部１９を該紐片に長手方向に複数連続して夫々形成し、または間欠的に連続して形成することにより、比較的短期間に該プラスチックを分解することができる作用を有している。さらに、この皺部１９の代り又は該皺部１９と共に多数の極小の穴１９ａを、該薄型紐片を貫通して連続して多数形成することにより、該紐片の外表面の面積を一段と拡大させ、該皺部や極小の穴を設けたことにより表面積を拡大し、広い面積で生分解性プラスチックと分解菌とが接するようにしたため、より早く生分解性プラスチックを分解する作用を発揮することができる。
【００１４】
この薄型紐片１７の上下に表面１８、１８ａを形成してあるので、該紐片１７を手で持った場合に、該紐片の上下の平坦な表面と手との接触部分は広い面で接触するようにし、提げ手の一部のみが手に食い込むことがなくソフトで持ちやすいという利点がある。しかも薄型紐片１７の上下表面に設けた多数の皺部１９や極小の穴１９ａが滑止め作用を有する。その上、生分解性プラスチックであるビオノーレを用いて製造した提げ手は、従来の紙紐製の提げ手に比べてコストが上昇することがなく安価に提供することができる利点を有している。
【考案の効果】
【００１５】
本考案は生分解性プラスチックを使用したため、プラスチックの持つ使い勝手のよさと、自然環境の中で水と二酸化炭酸とに分解して植物が吸収することができる環境適合性とを両立させたもので、薄型紐片の両表面の全体に多数の皺部や極小の穴を模様のように連続して設けたため、この提げ手を保持する場合に滑りを防止して手当たりがソフトで持ちやすい機能を有している。
【００１６】
また、薄型紐片１７は可撓性を有して薄型で表面を略平坦面に形成してあるため、手提げ袋９を構成する袋体の開口上部２の両側部分に取付ける場合に、従来のようにロープ状をした紐体を取り付けるのに比べて手提げ袋９の表面に生じる突出部分が少なく、手で持っ場合に持ちやすい利点を有し、また、美観的に違和感を生じることが少なく、さらに、高級感を劣化させない作用を有している。その上、任意の着色剤を混入することにより手提げ袋９の表面の色と同じ色または好みの色に簡単に着色することができ、しかも水に濡れて色落ちすることがなく、安心して手提げ袋として使用できる。
【考案を実施するための最良の形態】
【００１７】
以下、本考案の実施の形態について説明すると、手提げ袋をなす紙製の袋体１０の上部の両側を内側に折り曲げた折返片１１を設けて内部に収容室１２を設けてある。この収容室１２内に２枚からなる厚紙１３、１３ａ又は二つ折りして設けた補強板１４を収容してある。そして、化学合成系の生分解性プラスチック、例えば、昭和高分子株式会社製のビオノーレ（登録商標）を主原料としてテープ状にした薄型紐片１７を形成してある。
【００１８】
この場合、他の生分解性プラスチックを用いて同じ方法で提下紐を製造してみたが、その試作品には割れが生じたり、白濁したり、強度が不足したり、可撓性が不足するなど、ビオノーレ（登録商標）を用いて製造した本考案に係る提手紐と同様に満足の行く試作品を製造することはできなかった。
【００１９】
この生分解性プラスチックに発泡剤を少量混合して前記プラスチックを必要に応じ半軟質にし、押出し成形により長尺で表面が略平坦な薄型紐片１７を形成してある。即ち、上下の表面に設けた平坦な表面１８、１８ａの全体に連続または一定或は任意間隔ごとに多数の皺部１９を、該紐片１７の長手方向に連続して形成してある。この表面１８、１８ａの表面に設けた多数の皺部１９は、提げ手を手で持った際に滑止め機能を有している。ここで皺部とは、表面がたるんだり縮んだりして出来た不規則な細かい筋である。
【００２０】
この薄型紐片１７の表面には機械加工で多数の皺部１９や極小の穴１９ａを設けても良いし、生分解性プラス搬チックの発泡剤を混合して軟質化させて長尺に引き延しまたは押出加工した際または加工後に表面全体に皺部１９を多数形成してある。平坦な表面１８、１８ａに設けた皺部１９は、冷却による温度変化などにより表面にできた皺の他に、浅いV溝模様や単なる直線模様を設けるようにしても同様の機能を有する。
【００２１】
生分解性プラスチックに極く少量の発泡剤を混合し、即ち、生分解性プラスチック１００重量部に対し、公知の発泡剤０．０２重量部を添加し軟化させて形成した長尺なテープ状の薄型紐片１７の表面１８、１８ａに多数の皺部１９を連続して形成してある。また、生分解性プラスチックの一種であるビオノーレ（登録商標）は、各種着色剤に対して発色が良いという性質を有するため、手提げ袋９の表面の色または好みの色に合わせて任意の色に容易に着色することができる。そして、このビオノーレを用いて構成した薄型紐片１７は、手提げ袋の袋体１０と同じ色に簡単に調整することができるので、あたかも高級素材を用いて一体的に製造したような美観を呈した手提げ袋を比較的安価に提供することができる。
【００２２】
図２に示す如く、表面全体に多数の皺部１９や極小の穴１９ａを設けて可撓性を有した生分解性プラスチックからなる薄型紐片１７の基部１７ａ、１７ａを、図７に示すように２つ折りした厚紙１３、１３ａからなる口元補強板１４の間に接着剤を用いて押圧しながら接着すると、該プラスチックは低温で溶けて接着剤と同調して接着強度が高い。ちなみに、ビオノーレの融点は１１４〜１１５℃であって発泡されているので、上記温度より低い温度で接着剤と同調して強固に接着する。
【００２３】
この場合、手さげ袋９の開口上部２の内側略上部に設けた弧状切込２４から該薄型紐片１７を外部に引き出してもよいし（図７）、また、図８に示すように、開口上部２の折り曲げた頂部に設けた通孔２４ａから薄型紐片１７を外部に引きだしても良い。さらに、図９に示すように、開口上部２の折り曲げ部分の外側に設けた通孔２４ｂから薄型紐片１７を外部に引きだしても良いものである。
【００２４】
ついで、前記薄型紐片の基部１７ａ、１７ａを前記厚紙１３、１３ａの間に挟んで接着剤で接着させた口元補強板１４を、紙製の袋体１０の開口上部に内側に折曲げた折返片１１の内部に設けた収容室１２内に位置させて接着剤で袋体１０に接着固定させてある。この場合、２枚の厚紙を使用せず、一枚のやや長めの厚紙を中間部分から折り曲げて使用しても同様である。
【００２５】
図1、2において、袋体１０の内側に折返して開口上部の両側に設けた折返片１１の中間部分には、下部から上方に向かって一対の切込部２３、２３を設け、該切込部２３の上端は、該折返片の上端、即ち折返部分よりやや下方に位置させて略円弧状をした弧状切込２４、２４を設けて略方形をした開閉部片２５、２５を開閉可能に形成してある。この折返片１１の内側に設けた収容室１２内に収容し接着剤で接着固定する口元補強板１４に前記基部１７ａ、１７ａを接着固定し、可擁性を有する薄型紐片１７を該折返片の切込部２３及び弧状切込２４から引き出して前記開口上部２の上方に位置させ、該開閉部片２５を口元補強板１４に接着させて開口上部の内面を整えてある。
【００２６】
前記袋体１０の開口上部２の内部に設けた収容室１２内に前記薄型紐片の基部１７ａ、１７ａと口元補強板１４を収容して外方から強い力で押圧し、接着剤で該薄型紐片１７、１７の基部１７ａ、１７ａを接着させる場合、該薄型紐片１７が位置する部分の袋体表面に細かな皺部を生じることはなく、また、該紐片によって突出部が生じないため、美観を害することがないので高級感を劣化させることがない作用を有する。
【００２７】
薄型紐片１７の上下の平坦表面１８、１８ａには、多数の皺部１９や極小の穴１９ａを、該紐片の長手方向に連続して形成してあるので、該紐片１７を手で持っ場合に滑止め機能を有していて手提げ袋９を持ち運びやすい利点がある。さらに、この薄型紐片１７の表面には皺部１９の代りに、または、皺部１９と共に極小の穴１９ａを一定または任意間隔ごとに連続して形成することにより、自然界に存する分解菌との接触面が一段と拡大するため生分解性プラスチックの分解作用を早める作用を有している。
【００２８】
特に、ビオノーレは比較的低温で焼却しても有害ガスを発生することがなく自然環境にやさしいプラスチック製品を提供できるという作用を有している。その上、本考案に係る紐片はプラスチックであるから水に濡れても色落ちすることがなく、安心して使用できるものである。
【図面の簡単な説明】
【００２９】
【図１】本発明にかかる手提げ袋の提げ手を示す要部斜視図である。
【図２】図1のＡ−Ａ線方向断面図である。
【図３】図2のＣ−Ｃ線方向断面図である。
【図４】提げ手の一部斜視図である。
【図５】図４Ｄ−Ｄ線方向断面図である。
【図６】他の提げ手を示す図４Ｄ−Ｄ線方向断面図である。
【図７】提げ手の取付部の断面図である。
【図８】他の提げ手の取付部の断面図である。
【図９】更に他の提げ手の取付部の断面図である。
【図１０】従来の提げ手を示す要部の斜視図である。
【図１１】図１０のＥ−Ｅ線方向断面図である。
【図１２】紙紐を平行に配して接着させたテープ状提げ手の一部拡大斜視図である。
【符号の説明】
【００３０】
２      開口上部
９      手提げ袋
１０      袋体
１１      折返片
１２      収容室
１３      厚紙
１３ａ    厚紙
１４      口元補強板
１５      収容室
１７      薄型紐片
１７ａ    基部
１８      平坦表面
１８ａ    平坦表面
１９      皺部
１９ａ    極小の穴
【図１】
0003109290.tif 000003
【図２】
0003109290.tif 000004
【図３】
0003109290.tif 000005
【図４】
0003109290.tif 000006
【図５】
0003109290.tif 000007
【図６】
0003109290.tif 000008
【図７】
0003109290.tif 000009
【図８】
0003109290.tif 000010
【図９】
0003109290.tif 000011
【図１０】
0003109290.tif 000012
【図１１】
0003109290.tif 000013
【図１２】
0003109290.tif 000014
【手続補正書】
【提出日】平成17年1月26日(2005.1.26)
【手続補正１】
【補正対象書類名】実用新案登録請求の範囲
【補正対象項目名】全文
【補正方法】変更
【補正の内容】
【実用新案登録請求の範囲】
【請求項１】
手提げ袋（９）の開口上部（２）を所定幅内側に折り曲げて折返片（１１）を設け、発泡剤と着色剤を生分解性プラスチックに混合させて可撓性を有する薄型紐片（１７）の基部（１７ａ、１７ａ）を、表裏面が同じになるように捻りを入れて前記開口上部（２）の両側にそれぞれ取り付けてなり、該薄型紐片の表面（１８、１８ａ）の全体に多数の皺部（１９）を設けてなることを特徴とする手提げ袋の提げ手。
【請求項２】
前記薄型紐片（１７）の表面（１８、１８ａ）の全体に、極小の穴（１９ａ）を一定又は任意間隔に多数設けてなることを特徴とする請求項1記載の手提げ袋の提げ手。
【請求項３】
前記薄型紐片（１７）は、澱粉を利用したコハク酸などの生分解性プラスチックであることを特徴とする請求項1または２記載の手提げ袋の提げ手。
【請求項４】
前記生分解性プラスチックが、化学合成系の生分解性プラスチックであることを特徴とする請求項1記載の手提げ袋の提げ手。
【請求項５】
前記薄型紐片（１７）は、手提げ袋（９）の外面または好みの色をした着色剤を前記生分解性プラスチックに混入して任意の色に着色してなることを特徴とする請求項1記載の手提げ袋の提げ手。
【請求項６】
発泡剤と着色剤を化学合成系の生分解性プラスチックに混合させて可撓性を有する薄型紐片（１７）の基部（１７ａ、１７ａ）を表裏面が同じになるように捻りを入れて前記開口上部（２）の両側に取り付けてなり、該薄型紐片の表面（１８、
１８ａ）の全体に多数の皺部（１９）および極小の穴（１９ａ）を一定又は任意間隔に形成し、該薄型紐片の基部（１７ａ、１７ａ）を前記開口上部（２）の両側に設けた通孔から挿入して、二つ折り又は２枚の厚紙（１３、１３ａ）の間に接着剤を用いて圧着固定した口元補強板（１４）を、手提げ袋（９）の開口上部（２）を所定幅内側に折り曲げて形成した折返片（１１）の内部に接着固定してなることを特徴とする手提げ袋の提げ手。